(57)【要約】【課題】微小発光時における調光精度の低下を抑えること。【解決手段】照明装置は、光源からの光を受光して光電変換する光電変換部ＰＤと、光電変換部ＰＤからの電流で充電される充電部DMC1、DMC2と、充電によって充電部DMC1、DMC2の電圧が所定電圧値VREFを超えた場合に充電部DMC1、DMC2から所定電流値で放電させ、放電により電圧が所定電圧値VREF未満になった場合に放電を停止させる放電制御部２２と、光源の発光開始後における放電の繰り返し数を計数する計数部２３と、計数部２３で計数された計数値が所定計数値に達した場合に光源の発光を停止させて光源の発光量を制御する発光量制御部２３と、充電部DMC1、DMC2の容量の大小を切り替える容量切り替え部SW１と、を備える。【選択図】図２
2015184338.tif 000002
【特許請求の範囲】
【請求項１】
光源からの光を受光して光電変換する光電変換部と、
前記光電変換部からの電流で充電される充電部と、
前記充電によって前記充電部の電圧が所定電圧値を超えた場合に前記充電部から所定電流値で放電させ、前記放電により前記電圧が前記所定電圧値未満になった場合に前記放電を停止させる放電制御部と、
前記光源の発光開始後における前記放電の繰り返し数を計数する計数部と、
前記計数部で計数された計数値が所定計数値に達した場合に前記光源の発光を停止させて前記光源の発光量を制御する発光量制御部と、
前記充電部の容量の大小を切り替える容量切り替え部と、
を備えることを特徴とする照明装置。
【請求項２】
請求項１に記載の照明装置において、
前記容量切り替え部は、前記発光量を最大値の略１／１００以下に抑える場合に前記容量を小さい側へ切り替えることを特徴とする照明装置。
【請求項３】
請求項１または２に記載の照明装置において、
前記放電制御部は、前記容量切り替え部による前記容量の大小切り替えに応じて、前記放電の電流値を切り替えることを特徴とする照明装置。
【請求項４】
請求項３に記載の照明装置において、
前記放電制御部は、前記容量切り替え部が前記容量を大きい側へ切り替えた場合に前記電流値を大きい側へ切り替え、前記容量切り替え部が前記容量を小さい側へ切り替えた場合に前記電流値を小さい側へ切り替えることを特徴とする照明装置。
【請求項５】
請求項１〜４のいずれか一項に記載の照明装置において、
前記発光量制御部は、前記容量切り替え部による前記容量の大小切り替えに応じて、前記所定計数値を切り替えることを特徴とする照明装置。
【請求項６】
請求項５に記載の照明装置において、
前記発光量制御部は、前記容量切り替え部が前記容量を大きい側へ切り替えた場合に前記所定計数値を小さい側へ切り替え、前記容量切り替え部が前記容量を小さい側へ切り替えた場合に前記所定計数値を大きい側へ切り替えることを特徴とする照明装置。
【請求項７】
請求項１〜６のいずれか一項に記載の照明装置において、
前記充電部は容量性素子によって構成され、
前記容量切り替え部は、複数の前記容量性素子を並列に接続する状態と、前記容量性素子のいずれか１つを接続する状態とを切り替えることを特徴とする照明装置。
【請求項８】
請求項１〜６のいずれか一項に記載の照明装置において、
前記充電部は容量性素子によって構成され、
前記容量切り替え部は、複数の前記容量性素子を直列に接続する状態と、前記容量性素子のいずれか１つを接続する状態とを切り替えることを特徴とする照明装置。
【請求項９】
請求項１〜８のいずれか一項に記載の照明装置において、
カメラに対して着脱可能に構成されることを特徴とする照明装置。
【発明の詳細な説明】
【技術分野】
【０００１】
本発明は、照明装置に関する。
【背景技術】
【０００２】
被写体で反射された照明光を受光し、受光量に応じてパルス信号を発生させ、パルス数を計数して照明装置の発光量を制御する調光装置が知られている（特許文献１参照）。
【先行技術文献】
【特許文献】
【０００３】
【特許文献１】日本国特許第４４４９０９７号公報
【発明の概要】
【発明が解決しようとする課題】
【０００４】
従来の技術では、例えば近傍被写体を照明するために照明装置に微小発光させる場合において、調光精度が悪くなるという問題があった。
【課題を解決するための手段】
【０００５】
本発明による照明装置は、光源からの光を受光して光電変換する光電変換部と、光電変換部からの電流で充電される充電部と、充電によって充電部の電圧が所定電圧値を超えた場合に充電部から所定電流値で放電させ、放電により電圧が所定電圧値未満になった場合に放電を停止させる放電制御部と、光源の発光開始後における放電の繰り返し数を計数する計数部と、計数部で計数された計数値が所定計数値に達した場合に光源の発光を停止させて光源の発光量を制御する発光量制御部と、充電部の容量の大小を切り替える容量切り替え部と、を備えることを特徴とする。
【発明の効果】
【０００６】
本発明によれば、微小発光時における調光精度の低下を抑えることができる。
【図面の簡単な説明】
【０００７】
【図１】本発明の一実施の形態による照明装置および電子カメラの構成を例示するブロック図である。
【図２】測光部の詳細を説明する図である。
【図３】測光部の動作例を説明するタイムチャートである。
【図４】微小発光時における測光部の動作例を説明するタイムチャートである。
【図５】電子カメラのＣＰＵが、照明装置を用いた撮影処理において実行する処理の流れを例示するフローチャートである。
【図６】照明装置のＣＰＵが実行する処理の流れを例示するフローチャートである。
【発明を実施するための形態】
【０００８】
以下、図面を参照して本発明を実施するための形態について説明する。図１は、本発明の一実施の形態による照明装置２０と、照明装置２０を着脱可能な電子カメラ１０と、を組合せたカメラシステムを例示するブロック図である。照明装置２０は、電子カメラ１０による撮影時に被写体を照明する撮影補助光を発する。
【０００９】
図１において、電子カメラ１０は、撮像部１１と、画像処理部１２と、ＣＰＵ１３と、操作部材１４と、インターフェース部１５とを含む。また、照明装置２０は、発光部２１と、測光部２２と、ＣＰＵ２３と、インターフェース部２４とを含む。照明装置２０および電子カメラ１０は、互いのインターフェース部２４およびインターフェース部１５を介して電気的に接続される。
【００１０】
＜電子カメラ＞
撮像部１１は、不図示の撮像素子を含み、不図示の撮像光学系によって結像された被写体像を光電変換する。画像処理部１２は、撮像部１１によって光電変換された画像信号に対して所定の画像処理を行う。ＣＰＵ１３は、撮像部１１および画像処理部１２の動作を制御する。また、ＣＰＵ１３は、操作部材１４からの操作信号に応じて、照明装置２０に対する発光指示を所定のタイミングでインターフェース部１５へ送出する。操作部材１４は、レリーズボタンや各種設定スイッチなどを含み、ユーザーの操作に応じた操作信号をＣＰＵ１３へ送出する。インターフェース部１５はＸ接点などを含み、照明装置２０のインターフェース部２４との間で信号を送受信する。
【００１１】
＜照明装置＞
発光部２１は、電池による電圧を数百ボルトまで昇圧する昇圧回路と、キセノン管などの放電管と、上記昇圧後の電圧を印加して上記放電管を発光させる発光制御回路とを含み、ＣＰＵ２３からの発光指示に応じて放電管を閃光発光させる。測光部２２は、発光部２１による発光量を制御するために調光用の測光を行う。ＣＰＵ２３は、発光部２１および測光部２２の動作を制御する。インターフェース部２４はＸ接点などを含み、電子カメラ１０のインターフェース部１５との間で信号を送受信する。
【００１２】
上述した電子カメラ１０（照明装置２０が接続された状態）において、ユーザーにより操作部材１４を構成するレリーズボタンが操作されて撮影指示が行われると、ＣＰＵ１３はこれを検知し、インターフェース部１５を介して照明装置２０へ発光タイミング信号を出力するとともに、撮像部１１を制御して撮影動作を行わせる。
【００１３】
照明装置２０のＣＰＵ２３は、インターフェース部２４を介して電子カメラ１０から発光タイミング信号を取得すると、発光部２１に所定の発光動作を行わせる。本実施形態では、ＣＰＵ２３が測光部２２による測光情報に基づいて発光部２１の発光量を制御する例を説明するが、電子カメラ１０において測光を行うように構成し、電子カメラ１０による測光情報を照明装置２０のＣＰＵ２３がインターフェース部２４を介して取得し、この測光情報に基づいてＣＰＵ２３が発光量を制御するように構成してもよい。あるいは、電子カメラ１０において取得された測光情報に基づいて電子カメラ１０のＣＰＵ１３が発光量を検出し、検出された発光量情報を照明装置２０のＣＰＵ２３がインターフェース部２４を介して取得する構成にしてもよい。
【００１４】
＜測光動作＞
測光部２２が行う測光動作の詳細を説明する。図２は、測光部２２の詳細を説明する図である。図２において、測光部２２を構成する回路には電源電圧Vccが供給される。フォトダイオードＰＤは受光素子であり、受光量に応じて光電流を流す。コンデンサDMC1およびコンデンサDMC2は、それぞれフォトダイオードＰＤからの光電流によって充電される。
【００１５】
スイッチSW１は、上記コンデンサによる充電容量Ｃを切り替えるためのスイッチである。スイッチSW１の切り替えは、ＣＰＵ２３によって行われる。ＣＰＵ２３は、発光部２１を略フル発光させる場合にスイッチSW１をオンさせ、発光部２１を微小発光させる場合にスイッチSW１をオフさせる。スイッチSW１がオンのとき、充電容量ＣはコンデンサDMC1およびコンデンサDMC2の容量を合わせた容量(C1+C2)となる。ＣＰＵ２３は、発光部２１を微小発光（例えばフル発光時の１／数十から１／１００以下）させる場合にスイッチSW１をオフさせる。スイッチSW１がオフのとき、充電容量ＣはコンデンサDMC2の容量(C2)となる。本例では、(C1+C2)の値を(C2)の値の約１００倍とする。
【００１６】
コンパレータCMPは、上述したコンデンサDMC1およびコンデンサDMC2、またはコンデンサDMC2の充電電圧を基準電圧VREFと比較し、充電電圧が基準電圧VREFより高い場合にＨレベル信号を出力し、充電電圧が基準電圧VREFより低い場合にLレベル信号を出力する。Ｄ型フリップフロップFFは、クロック信号CLOCKの立ち上がりでコンパレータCMPの出力をサンプリングする。ナンド回路NANDには、Ｄ型フリップフロップFFの出力とクロック信号CLOCKを反転させた信号とが入力される。クロック信号CLOCKは、ＣＰＵ２３から供給される。
【００１７】
電流源３１および３２は、それぞれ所定の電流を流す。電流源３３は、電流値を少なくとも２段階に切り替え可能な定電流源である。電流源３３の電流値は、ＣＰＵ２３によって微小発光時用の電流値Ivr(S)と、フル発光用の電流値Ivr(L)とを切り替え指示される。電流値Ivr(S)、 Ivr(L)はそれぞれ、被写体で反射された光を受光するフォトダイオードＰＤに流れる光電流の最大値の、例えば２倍以上となるように設定される。この理由は、クロック信号CLOCKの半周期分の間に、上記充電中のコンデンサから電荷を引き抜く放電動作（詳細は後述）を行わせるためである。
【００１８】
トランジスタＴｒ１およびＴｒ２はコンパレータを構成する。トランジスタＴｒ３およびＴｒ４はカレントミラー回路を構成する。また、２個直列に接続されているダイオードをＤ２、３個直列に接続されているダイオードをＤ３、および４個直列に接続されているダイオードをＤ４と表す。電流源３３による電流値Ivr(S)または Ivr(L)（ＣＰＵ２３によって指示された値）の電流が、上記カレントミラー回路によりトランジスタＴｒ３のコレクタ・エミッタ間を流れる。
【００１９】
図３は、図２の測光部２２の動作例を説明するタイムチャートである。一定の光電流がフォトダイオードＰＤから出力されている場合における、コンパレータCMPの入力端子に入力される上記コンデンサの充電電圧（CMP＋端子）と、基準電圧VREFと、コンパレータCMPの出力信号（CMP出力）と、ＣＰＵ１３から供給されるクロック信号CLOCKと、ナンド回路NANDの出力信号OUTと、を示す。
【００２０】
ＣＰＵ２３は、図１のインターフェース部２４を介して電子カメラ１０から発光指示（後述する同期信号に相当）を受けると、発光部２１へ発光開始信号を送る。発光部２１は、発光開始信号に応じて不図示の放電管の発光を開始させる。発光部２１からの照明光は、照明された被写体を反射して測光部２２のフォトダイオードＰＤへ入射される。
【００２１】
フォトダイオードＰＤに反射光が入射されると、フォトダイオードＰＤから流れる光電流が上記コンデンサ（スイッチSW１がオンの場合に充電容量Ｃ＝DMC1＋DMC2）を充電する。図３において、充電電圧が基準電圧VREFを下回る間は、コンパレータCMPからのCMP出力がＬレベルとなる。コンパレータCMPからのCMP出力（Ｌレベル）がクロック信号CLOCKの立ち上がりでＤ型フリップフロップFFにサンプリングされるので、ナンド回路NANDの出力信号OUTはＨレベルとなる。この状態では、トランジスタＴｒ１がオンし、トランジスタＴｒ２がオフして電流源３３による電流値Ivr(L)（ＣＰＵ２３によって指示された値）がカレントミラー回路を介してトランジスタＴｒ１のコレクタ・エミッタ間を流れ、上記充電中のコンデンサから電荷を引き抜く動作（放電）は停止する。
【００２２】
上記コンデンサに対する充電が進み、充電電圧が基準電圧VREFを上回ると、コンパレータCMPのCMP出力がＨレベルとなる。コンパレータCMPのCMP出力（Ｈレベル）がクロック信号CLOCKの立ち上がりでＤ型フリップフロップFFにサンプリングされるため、クロック信号CLOCKの次の立ち下がりでナンド回路NANDの出力信号OUTがＬレベルに変化する。これにより、トランジスタＴｒ１がオフし、トランジスタＴｒ２がオンして電流源３３による電流値Ivr(L)（ＣＰＵ２３によって指示された値）がカレントミラー回路を介してトランジスタＴｒ２のコレクタ・エミッタ間を流れ、上記充電中のコンデンサから電荷を引き抜く動作（放電）が開始される。
【００２３】
上記電荷引き抜き（放電）によってコンデンサの充電電圧（CMP＋端子）が基準電圧VREFより低下すると、コンパレータCMPからのCMP出力がＬレベルとなる。コンパレータCMPからのCMP出力（Ｌレベル）がクロック信号CLOCKの次の立ち上がりでＤ型フリップフロップFFにサンプリングされるため、ナンド回路NANDの出力信号OUTはＨレベルに復帰する。これにより、トランジスタＴｒ１がオンし、トランジスタＴｒ２がオフして、上記充電中のコンデンサからの電荷の引き抜き（放電）が停止する。上記電流源３３による電流値Ivr(L)は、クロック信号CLOCKの半周期の間に、コンデンサの充電電圧（CMP＋端子）を基準電圧VREFより低下させるように定めている。
【００２４】
フォトダイオードＰＤに反射光が入射されている間に上述した動作を繰り返すことで、ナンド回路NANDの出力信号OUTは、周期的にクロック信号CLOCKの半周期分の間Ｌレベルとなる。ＣＰＵ２３は、このように発生されたＬレベルのパルス数をカウントすることにより、フォトダイオードＰＤの受光光量をパルス数に対応させる。すなわち、フォトダイオードＰＤの受光光量をデジタル化する。
【００２５】
＜調光制御動作＞
ＣＰＵ２３は、発光部２１へ発光開始信号を送出した後にカウントした計数値があらかじめ定めた所定値に達すると、発光停止信号を発光部２１へ送出する。所定値は、ＩＳＯ感度、絞り値および撮影距離によって定められる。所定値はさらに、微小発光時用の所定値と、フル発光用の所定値とが切り替えて用いられる。発光部２１は、ＣＰＵ２３から発光停止信号を受けると放電管の発光を停止させる。このように、発光開始時間から発光停止時間までの時間を計数値の大小により調節することにより、発光量を制御（調光制御）する。
【００２６】
＜微小発光時の測光動作＞
本実施形態において、ＣＰＵ２３は、微小発光時に上述したスイッチSW１をオフさせる。微小発光とは、接写時（例えば撮影距離５cm）や近接撮影時（例えば撮影距離５０cm）において、照明装置２０の発光量をフル発光時の１／１００程度に抑える（発光開始時間から発光停止時間までの時間を短くする）場合をいう。被写体が電子カメラ１０（すなわち照明装置２０）に非常に近いので、発光量を微小に抑えないと主要被写体が露出オーバーになる。
【００２７】
また、微小発光時のＣＰＵ２３は、電流源３３の電流値を微小発光時用の電流値Ivr(S)へ切り替える。微小発光時用の電流値Ivr(S)は、フル発光時の電流値Ivr(L)の、例えば１／１０倍である。ＣＰＵ２３はさらに、発光開始信号の送出後から発光停止信号の送出までにカウントすべき所定値を、微小発光時用の所定値へ切り替える。微小発光時用の所定値は、フル発光時の所定値の、例えば約１０倍である。
【００２８】
図４は、微小発光時における図２の測光部２２の動作例を説明するタイムチャートである。図３と同様に、上記コンデンサの充電電圧（CMP＋端子）と、基準電圧VREFと、コンパレータCMPの出力信号（CMP出力）と、クロック信号CLOCKと、ナンド回路NANDの出力信号OUTと、を示す。
【００２９】
図４において、フォトダイオードＰＤに反射光が入射されると、フォトダイオードＰＤから流れる光電流が上記コンデンサ（スイッチSW１がオフしているので充電容量Ｃ＝DMC2）を充電する。充電電圧が基準電圧VREFを下回る間は、コンパレータCMPからのCMP出力がＬレベルとなる。コンパレータCMPからのCMP出力（Ｌレベル）がクロック信号CLOCKの立ち上がりでＤ型フリップフロップFFにサンプリングされるので、ナンド回路NANDの出力信号OUTはＨレベルとなる。よって、上記充電中のコンデンサから電荷を引き抜く動作は停止する。
【００３０】
図４では図３の場合に比べて充電容量Ｃが小さいので、充電電圧の上昇速度が図３の場合より速くなり、図３の場合より短時間で充電電圧が基準電圧VREFを上回る。コンパレータCMPのCMP出力（Ｈレベル）がクロック信号CLOCKの立ち上がりでＤ型フリップフロップFFにサンプリングされるため、クロック信号CLOCKの次の立ち下がりでナンド回路NANDの出力信号OUTがＬレベルに変化する。これにより、上記充電中のコンデンサから電荷を引き抜く動作（放電）が開始される。
【００３１】
電荷引き抜き（放電）によってコンデンサの充電電圧（CMP＋端子）が基準電圧VREFより低下すると、コンパレータCMPからのCMP出力がＬレベルとなる。コンパレータCMPからのCMP出力（Ｌレベル）がクロック信号CLOCKの次の立ち上がりでＤ型フリップフロップFFにサンプリングされるため、ナンド回路NANDの出力信号OUTはＨレベルに復帰する。これにより、上記充電中のコンデンサからの電荷の引き抜き（放電）が停止する。
【００３２】
上述したように、小さく変更した充電容量Ｃに合わせて上記電荷引き抜き（放電）のための電流を微小発光時用の電流値Ivr(S)へ切り替えているので、ナンド回路NANDの出力信号OUTは、図３の場合と同様に、周期的にクロック信号CLOCKの半周期分の間Ｌレベルとなる。
【００３３】
ＣＰＵ２３は、このように発生されたＬレベルのパルス数をカウントすることにより、フォトダイオードＰＤの受光光量をパルス数に対応させる。図４によれば、充電容量Ｃを小さくしたことで、図３の場合に比べてコンデンサの充放電の繰り返し速度が速められる。微小発光時においては、発光開始時間から発光停止時間までの時間を極めて短く制御するところ、充電容量Ｃが大きいままではカウントすべき所定値（Ｌレベルのパルス数）を小さく設定しなければならず、調光制御における精度の低下を招きやすい。しかしながら、充電容量Ｃを小さくすることによってＬレベルのパルスの発生間隔を狭くしたので、発生間隔を狭くしない場合に比べてカウントすべき所定値（Ｌレベルのパルス数）を大きく設定することができる。この結果、調光制御における精度の低下を防止できる。
【００３４】
＜フローチャートの説明＞
図５は、電子カメラ１０のＣＰＵ１３が、照明装置２０を用いた撮影処理を実行する場合の処理の流れを例示するフローチャートである。図５のステップＳ１１において、ＣＰＵ１３は、インターフェース部１５を介して照明装置２０と通信を行ってステップＳ１２へ進む。ＣＰＵ１３は、通信を介して微小発光（接写、近接撮影）か否かの情報と、ＩＳＯ感度や絞り値などの情報を照明装置２０へ送信する。また、ＣＰＵ１３は、照明装置２０から発光準備完了を知らせる情報を受信する。
【００３５】
ステップＳ１２において、ＣＰＵ１３はレリーズ開始か否かを判定する。ＣＰＵ１３は、操作部材１４を構成するレリーズボタンを介して撮影指示が行われると、ステップＳ１２を肯定判定してステップＳ１３へ進む。ＣＰＵ１３は、レリーズボタンを介して撮影指示が行われない場合は、ステップＳ１２を否定判定してステップＳ１１へ戻る。
【００３６】
ステップＳ１３において、ＣＰＵ１３は、インターフェース部１５を介して照明装置２０へレリーズ開始信号を送信してステップＳ１４へ進む。ステップＳ１４において、ＣＰＵ１３は、レリーズシーケンス処理を開始してステップＳ１５へ進む。例えば、ＣＰＵ１３から撮像部１１へ撮像開始を指示するとともに、不図示のシーケンス装置へレリーズシーケンス処理を開始させる。これにより、不図示のミラーアップ、不図示の撮像光学系の絞り駆動、不図示のシャッタ羽根の開駆動が開始される。
【００３７】
ステップＳ１５において、ＣＰＵ１３は、シャッタ羽根の開駆動が終了する時点でインターフェース部１５のＸ接点を介して照明装置２０へ同期信号（Ｘオン信号）を送信してステップＳ１６へ進む。ステップＳ１６において、ＣＰＵ１３は、シャッタ羽根の閉駆動が終了するとレリーズシーケンス処理を終了してステップＳ１７へ進む。
【００３８】
ステップＳ１７において、ＣＰＵ１３は、画像処理部１２によって所定の処理が行われた画像のデータを不図示の記録媒体に記録してステップＳ１８へ進む。ステップＳ１８において、ＣＰＵ１３は、終了操作が行われたか否かを判定する。ＣＰＵ１３は、終了操作が行われた場合にステップＳ１８を肯定判定して図５による処理を終了する。ＣＰＵ１３は、終了操作が行われない場合には、ステップＳ１８を否定判定してステップＳ１１へ戻る。
【００３９】
図６は、照明装置２０を用いた撮影処理が行われる場合に照明装置２０のＣＰＵ２３が実行する処理の流れを例示するフローチャートである。図６のステップＳ２１において、ＣＰＵ２３は、インターフェース部２４を介して電子カメラ１０と通信を行ってステップＳ２２へ進む。ＣＰＵ２３は、通信を介して微小発光（接写、近接撮影）か否かの情報と、ＩＳＯ感度や絞り値などの情報を電子カメラ１０から受信する。また、ＣＰＵ２３は、発光部２１の発光準備完了を知らせる情報を電子カメラ１０へ送信する。
【００４０】
ステップＳ２２において、ＣＰＵ２３は発光量を設定してステップＳ２３へ進む。ＣＰＵ２３は、例えば微小発光を行う場合に微小発光フラグをセットし、微小発光を行わない（略フル発光）場合に微小発光フラグをリセットする。ステップＳ２３において、ＣＰＵ２３はレリーズ開始か否かを判定する。ＣＰＵ２３は、インターフェース部２４を介してレリーズ開始信号を受信すると、ステップＳ２３を肯定判定してステップＳ２４へ進む。ＣＰＵ２３は、レリーズ開始信号を受信しない場合は、ステップＳ２３を否定判定してステップＳ２１へ戻る。
【００４１】
ステップＳ２４において、ＣＰＵ２３は、インターフェース部２４のＸ接点を介して同期信号（Ｘオン信号）を受信したか否かを判定する。ＣＰＵ２３は、Ｘオン信号を受信した場合にステップＳ２４を肯定判定してステップＳ２５へ進み、Ｘオン信号を受信しない場合にはステップＳ２４を否定判定してＸオン信号を待つ。
【００４２】
ステップＳ２５において、ＣＰＵ２３は上述した調光制御を行う。すなわち、発光部２１へ発光開始信号を送り、発光開始信号の送出後にカウントした計数値があらかじめ定めた所定値に達すると、発光停止信号を発光部２１へ送出する。なお、微小発光フラグをセットしている場合を上記微小発光時に対応させ、微小発光フラグをリセットしている場合をフル発光時に対応させる。
【００４３】
ステップＳ２６において、ＣＰＵ２３は、終了操作が行われたか否かを判定する。ＣＰＵ１３は、終了操作が行われた場合にステップＳ２６を肯定判定して図６による処理を終了する。ＣＰＵ２３は、終了操作が行われない場合には、ステップＳ２６を否定判定してステップＳ２１へ戻る。
【００４４】
上述した実施の形態によれば、次の作用効果が得られる。
（１）照明装置２０は、発光部２１からの光を受光して光電変換するフォトダイオードＰＤと、フォトダイオードＰＤからの光電流で充電されるコンデンサDMC1、DMC2と、充電によってコンデンサDMC1、DMC2の電圧が基準電圧VREFを超えた場合にコンデンサDMC1、DMC2から電流値Ivr(L)、Ivr(S)で放電させ、放電により電圧が基準電圧VREF未満になった場合に放電を停止させる測光部２２と、発光部２１の発光開始後における放電の繰り返し数を計数するＣＰＵ２３と、ＣＰＵ２３で計数された計数値が所定計数値に達した場合に発光部２１の発光を停止させて発光部２１の発光量を制御するＣＰＵ２３と、コンデンサDMC1、DMC2の充電容量Ｃの大小を切り替えるスイッチSW１と、を備える。これにより、例えば近傍被写体を照明するために微小発光させる場合において、調光精度の低下を抑えることができる。
【００４５】
この理由は以下の通りである。微小発光時においては、発光開始時間から発光停止時間までの時間を極めて短く制御する必要があるところ、コンデンサDMC1、DMC2の充電容量Ｃが大きいままでは所定計数値を非常に小さく設定しなければならず、調光制御における精度の低下を招きやすい。しかしながら、充電容量Ｃの大小を切り替えることによって放電間隔を短くし、放電の繰り返し数を増やすようにしたので、放電間隔を短くしない場合に比べて計数値を大きく設定できる。これにより、調光精度の低下を避けることができる。
【００４６】
（２）スイッチSW１は、発光量を最大値の略１／１００以下に抑える場合に充電容量Ｃを小さい側へ切り替える。これにより、充電に要する時間が短縮されるため、放電間隔の短縮につながる。放電間隔の短縮は放電の繰り返し数の増加に寄与する結果、調光精度の低下を避けることができる。
【００４７】
（３）測光部２２は、スイッチSW１による充電容量Ｃの大小切り替えに応じて、放電の電流値Ivr(L)、Ivr(S)を切り替える。これにより、充電容量Ｃの大小にかかわらず、放電によってコンデンサの電圧が基準電圧VREF未満へ低下する時間を所定時間（上記例ではクロック信号CLOCKの半周期相当）に収めることができるから、調光制御を適切に行える。
【００４８】
（４）測光部２２は、スイッチSW１が充電容量Ｃを大きい側へ切り替えた場合に電流値を大きい側Ivr(L)へ切り替え、スイッチSW１が充電容量Ｃを小さい側へ切り替えた場合に電流値を小さい側Ivr(S)へ切り替える。これにより、充電容量Ｃの大小にかかわらず、放電によってコンデンサの電圧が基準電圧VREF未満へ低下する時間を所定時間（上記例ではクロック信号CLOCKの半周期相当）に収めることができるから、調光制御を適切に行える。
【００４９】
（５）ＣＰＵ２３は、スイッチSW１による充電容量Ｃの大小切り替えに応じて、所定計数値を切り替えるようにした。放電間隔の短縮に伴って増加する放電の繰り返し数に合わせて適切な計数値を設定できるので、調光制御を適切に行える。
【００５０】
（６）ＣＰＵ２３は、スイッチSW１が充電容量Ｃを大きい側へ切り替えた場合に所定計数値を小さい側へ切り替え、スイッチSW１が充電容量Ｃを小さい側へ切り替えた場合に所定計数値を大きい側へ切り替えるようにした。放電間隔の短縮に伴って増加する放電の繰り返し数に合わせて適切な計数値を設定できるので、調光制御を適切に行える。
【００５１】
（７）充電部をコンデンサDMC1、DMC2によって構成し、スイッチSW１は、複数のコンデンサDMC1、DMC2を並列に接続する状態と、コンデンサDMC1、DMC2のいずれか１つを接続する状態とを切り替えるようにした。これにより、簡単な構成で充電容量Ｃの切り替えを行える。
【００５２】
（８）照明装置２０は、電子カメラ１０に対して着脱可能に構成されるので、カメラ一体型の構成でなくても調光制御を適切に行える。
【００５３】
次のような変形も本発明の範囲内であり、変形例の一つ、もしくは複数を上述の実施形態と組み合わせることも可能である。
（変形例１）
上述した説明では、電子カメラ１０に外付けする照明装置２０を例に説明したが、照明装置２０を電子カメラ１０に内蔵させる構成にしてもよい。
【００５４】
（変形例２）
コンデンサの充電容量Ｃを切り替えるため、スイッチSW１のオン／オフを切り替えることにより、コンデンサDMC1およびDMC2を並列に接続する状態と、コンデンサDMC1（DMC2でもよい）を切り離して単独で接続する状態とを切り替える例を説明した。この代わりに、スイッチSW１のオン／オフを切り替えることにより、コンデンサDMC1およびDMC2を直列に接続する状態と、コンデンサDMC1（またはDMC2）を切り離して単独で接続する状態とを切り替えるように構成してもよい。
【００５５】
（変形例３）
コンデンサの充電容量Ｃを２段階に切り替える例を説明したが、３段階あるいはそれ以上の多段階に切り替えるようにしてもよい。この場合は、スイッチSW１以外にもスイッチを設け、これらのオン／オフを切り替えることによってコンデンサの充電容量Ｃを多段階に切り替える。
【００５６】
充電容量Ｃの切り替えは、発光部２１の発光量を小さくするほど充電容量Ｃを小さくし、発光部２１の発光量を大きくするほど充電容量Ｃを大きくするように切り替える。また、充電容量Ｃの大小の切り替えに合わせて、コンデンサから電荷引き抜く（放電）のための電流源３３の電流値Ivrの切り替えと、ＣＰＵ２３が発光開始信号の送出後から発光停止信号の送出までにカウントすべき所定値（Ｌレベルのパルス数）の切り替えと、を行う。電流源３３の電流値Ivrは、充電容量Ｃを小さくする場合に電流値Ivrを小さく、充電容量Ｃを大きくする場合に電流値Ivrを大きくする。また、カウントすべき所定値（Ｌレベルのパルス数）は、充電容量Ｃを小さくする場合にカウントすべき所定値を大きく、充電容量Ｃを大きくする場合にカウントすべき所定値を小さくする。
【００５７】
（変形例４）
発光部２１の光源として放電管を用いる例を説明したが、レーザ光源やＬＥＤ光源を用いる構成にしてもよい。
【００５８】
（変形例５）
充電素子としてコンデンサを用いる例を説明したが、バリキャップダイオードを用いて構成してもよい。
【００５９】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００６０】
１０…電子カメラ
１３、２３…ＣＰＵ
１５、２４…インターフェース部
２０…照明装置
２１…発光部
２２…測光部
Ｃ…充電容量
CLOCK…クロック信号
CMP…コンパレータ
DMC1、DMC2…コンデンサ
Ivr…電流
NAND…ナンド回路
ＰＤ…フォトダイオード
SW１…スイッチ
VREF…基準電圧
【図１】
2015184338.tif 000003
【図２】
2015184338.tif 000004
【図３】
2015184338.tif 000005
【図４】
2015184338.tif 000006
【図５】
2015184338.tif 000007
【図６】
2015184338.tif 000008